【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
撮像光学系と撮像装置との間に着脱可能に装着されるアタッチメント光学系であって、
前記撮像光学系に起因する倍率色収差を補正するための第１の情報を受信する受信部と、前記第１の情報に基づき、前記撮像光学系および前記アタッチメント光学系に起因する倍率色収差を補正するための第２の情報を得る制御部と、前記第２の情報を前記撮像装置に送信する送信部とを有し、
前記第１の情報および前記第２の情報は、それぞれ、像高の最大像高に対する比に基づいて、前記撮像光学系のズーム、フォーカス、およびＦナンバーに関する各条件における倍率色収差量を取得するための情報であり、
前記制御部は、定数をＫとし、像高の最大像高に対する比をｒとし、前記第１の情報のうち、光軸を中心とする径方向への緑チャンネルに対する青チャンネルのずれ量をＡ１Ｂ（ｒ）とし、前記径方向への緑チャンネルに対する赤チャンネルのずれ量をＡ１Ｒ（ｒ）とし、前記第２の情報のうち、前記径方向への緑チャンネルに対する青チャンネルのずれ量をＢ１Ｂ（ｒ）とし、前記径方向への緑チャンネルに対する赤チャンネルのずれ量をＢ１Ｒ（ｒ）とし、ｒを変数とする青チャンネルに関する関数をＣ１Ｂ（ｒ）とし、ｒを変数とする赤チャンネルに関する関数をＣ１Ｒ（ｒ）として、Ｂ１Ｂ（ｒ）およびＢ１Ｒ（ｒ）は、
Ｂ１Ｂ（ｒ）＝Ｋ・Ａ１Ｂ（ｒ）＋Ｃ１Ｂ（ｒ）
Ｂ１Ｒ（ｒ）＝Ｋ・Ａ１Ｒ（ｒ）＋Ｃ１Ｒ（ｒ）
なる式に基づいて得ることを特徴とするアタッチメント光学系。
【請求項２】
撮像光学系と撮像装置との間に着脱可能に装着されるアタッチメント光学系であって、
前記撮像光学系に起因する倍率色収差を補正するための第１の情報を受信する受信部と、前記第１の情報に基づき、前記撮像光学系および前記アタッチメント光学系に起因する倍率色収差を補正するための第２の情報を得る制御部と、前記第２の情報を前記撮像装置に送信する送信部とを有し、
前記第１の情報は、前記撮像光学系の像面での像高に基づいて、前記撮像光学系のズーム、フォーカス、およびＦナンバーに関する各条件における倍率色収差量を取得するための情報であり、
前記第２の情報は、前記撮像光学系と前記アタッチメント光学系とによる像面での像高に基づいて倍率色収差量を取得するための情報であり、
前記制御部は、定数をＫとし、前記撮像光学系と前記アタッチメント光学系とによる像面での像高をｙ´とし、前記第１の情報のうち、光軸を中心とする径方向への緑チャンネルに対する青チャンネルのずれ量をＡ２Ｂ（ｙ´）とし、前記径方向への緑チャンネルに対する赤チャンネルのずれ量をＡ２Ｒ（ｙ´）とし、前記第２の情報のうち、前記径方向への緑チャンネルに対する青チャンネルのずれ量をＢ２Ｂ（ｙ´）とし、前記径方向への緑チャンネルに対する赤チャンネルのずれ量をＢ２Ｒ（ｙ´）とし、ｙ´を変数とする青チャンネルに関する関数をＣ２Ｂ（ｙ´）とし、ｙ´を変数とする赤チャンネルに関する関数をＣ２Ｒ（ｙ´）として、Ｂ２Ｂ（ｙ´）およびＢ２Ｒ（ｙ´）は、
Ｂ２Ｂ（ｙ´）＝Ｋ・Ａ２Ｂ（ｙ´／Ｋ）＋Ｃ２Ｂ（ｙ´）
Ｂ２Ｒ（ｙ´）＝Ｋ・Ａ２Ｒ（ｙ´／Ｋ）＋Ｃ２Ｒ（ｙ´）
なる式に基づいて得る、
ことを特徴とするアタッチメント光学系。
【請求項３】
前記定数Ｋの値は、変更可能であることを特徴とする請求項１または請求項２に記載のアタッチメント光学系。
【請求項４】
前記制御部は、前記受信部がＡ１Ｂ（ｒ）およびＡ１Ｒ（ｒ）を受信しない場合、Ｂ１Ｂ（ｒ）およびＢ１Ｒ（ｒ）は、
Ｂ１Ｂ（ｒ）＝Ｃ１Ｂ（ｒ）
Ｂ１Ｒ（ｒ）＝Ｃ１Ｒ（ｒ）
なる式に基づいて得る、
ことを特徴とする請求項１に記載のアタッチメント光学系。
【請求項５】
前記制御部は、前記受信部がＡ２Ｂ（ｙ）およびＡ２Ｒ（ｙ）を受信しない場合、Ｂ２Ｂ（ｙ）およびＢ２Ｒ（ｙ）は、
Ｂ２Ｂ（ｙ´）＝Ｃ２Ｂ（ｙ´）
Ｂ２Ｒ（ｙ´）＝Ｃ２Ｒ（ｙ´）
なる式に基づいて得る、
ことを特徴とする請求項２に記載のアタッチメント光学系。
【請求項６】
前記第２の情報を記憶する記憶部を有することを特徴とする請求項１ないし請求項５のうちいずれか１項に記載のアタッチメント光学系。
【請求項７】
物体側から像側に順に、撮像光学系と、請求項１ないし請求項６のうちいずれか１項に記載のアタッチメント光学系と、撮像素子とを含む撮像システムであって、
前記撮像光学系の広角端での焦点距離をｆ１とし、前記撮像システムの広角端での焦点距離をｆ２として、
０．８＜Ｋ・ｆ１／ｆ２＜１．２
なる式を満足することを特徴とする撮像システム。
【請求項８】
撮像光学系が着脱可能で、撮像素子と、前記撮像光学系と前記撮像素子との間に前記撮像光学系の焦点距離を変更する光学系と、を有する撮像装置であって、
前記撮像光学系に起因する倍率色収差を補正するための第１の情報を受信する受信部と、前記第１の情報に基づいて、前記撮像光学系および前記焦点距離を変更する光学系に起因する倍率色収差を補正するための第２の情報を得る制御部と、を有し、
前記第１の情報および前記第２の情報は、それぞれ、像高の最大像高に対する比に基づいて、前記撮像光学系のズーム、フォーカス、およびＦナンバーに関する各条件における倍率色収差量を取得するための情報であり、
前記制御部は、定数をＫとし、像高の最大像高に対する比をｒとし、前記第１の情報のうち、光軸を中心とする径方向への緑チャンネルに対する青チャンネルのずれ量をＡ１Ｂ（ｒ）とし、前記径方向への緑チャンネルに対する赤チャンネルのずれ量をＡ１Ｒ（ｒ）とし、前記第２の情報のうち、前記径方向への緑チャンネルに対する青チャンネルのずれ量をＢ１Ｂ（ｒ）とし、前記径方向への緑チャンネルに対する赤チャンネルのずれ量をＢ１Ｒ（ｒ）とし、ｒを変数とする青チャンネルに関する関数をＣ１Ｂ（ｒ）とし、ｒを変数とする赤チャンネルに関する関数をＣ１Ｒ（ｒ）として、Ｂ１Ｂ（ｒ）およびＢ１Ｒ（ｒ）は、
Ｂ１Ｂ（ｒ）＝Ｋ・Ａ１Ｂ（ｒ）＋Ｃ１Ｂ（ｒ）
Ｂ１Ｒ（ｒ）＝Ｋ・Ａ１Ｒ（ｒ）＋Ｃ１Ｒ（ｒ）
なる式に基づいて得ることを特徴とする撮像装置。
【請求項９】
撮像光学系が着脱可能で、撮像素子と、前記撮像光学系と前記撮像素子との間に前記撮像光学系の焦点距離を変更する光学系と、を有する撮像装置であって、
前記撮像光学系に起因する倍率色収差を補正するための第１の情報を受信する受信部と、前記第１の情報に基づいて、前記撮像光学系および前記焦点距離を変更する光学系に起因する倍率色収差を補正するための第２の情報を得る制御部と、を有し、
前記第１の情報は、前記撮像光学系の像高に基づいて、前記撮像光学系のズーム、フォーカス、Ｆナンバーに関する各条件における倍率色収差量を取得するための情報であり、
前記第２の情報は、前記撮像光学系と前記焦点距離を変更する光学系とによる像面での像高に基づいて倍率色収差量を取得するための情報であり、
前記制御部は、定数をＫとし、前記撮像光学系と、前記撮像光学系の焦点距離を変更する光学系とによる前記像面での像高をｙ´とし、前記第１の情報のうち、光軸を中心とする径方向への緑チャンネルに対する青チャンネルのずれ量をＡ２Ｂ（ｙ´）とし、前記径方向への緑チャンネルに対する赤チャンネルのずれ量をＡ２Ｒ（ｙ´）とし、前記第２の情報のうち、前記径方向への緑チャンネルに対する青チャンネルのずれ量をＢ２Ｂ（ｙ´）とし、前記径方向への緑チャンネルに対する赤チャンネルのずれ量をＢ２Ｒ（ｙ´）とし、ｙ´を変数とする青チャンネルに関する関数をＣＢ（ｙ´）とし、ｙ´を変数とする赤チャンネルに関する関数をＣＲ（ｙ´）として、Ｂ２Ｂ（ｙ´）およびＢ２Ｒ（ｙ´）は、
Ｂ２Ｂ（ｙ´）＝Ｋ・Ａ２Ｂ（ｙ´／Ｋ）＋Ｃ２Ｂ（ｙ´）
Ｂ２Ｒ（ｙ´）＝Ｋ・Ａ２Ｒ（ｙ´／Ｋ）＋Ｃ２Ｒ（ｙ´）
なる式に基づいて得ることを特徴とする撮像装置。
【請求項１０】
前記定数Ｋの値は、を変更可能であることを特徴とする請求項８または請求項９に記載の撮像装置。
【請求項１１】
前記制御部は、前記受信部がＡ１Ｂ（ｒ）およびＡ１Ｒ（ｒ）を受信しない場合、Ｂ１Ｂ（ｒ）およびＢ１Ｒ（ｒ）は、
Ｂ１Ｂ（ｒ）＝Ｃ１Ｂ（ｒ）
Ｂ１Ｒ（ｒ）＝Ｃ１Ｒ（ｒ）
なる式に基づいて得る、
ことを特徴とする請求項８に記載の撮像装置。
【請求項１２】
前記演算部は、前記受信部がＡ２Ｂ（ｙ）およびＡ２Ｒ（ｙ）を受信しない場合、Ｂ２Ｂ（ｙ）およびＢ２Ｒ（ｙ）は、
Ｂ２Ｂ（ｙ´）＝Ｃ２Ｂ（ｙ´）
Ｂ２Ｒ（ｙ´）＝Ｃ２Ｒ（ｙ´）
なる式に基づいて得る、
ことを特徴とする請求項９に記載の撮像装置。
【請求項１３】
前記第２の情報を記憶する記憶部を有することを特徴とする請求項８ないし請求項１２のうちいずれか１項に記載の撮像装置。
【請求項１４】
物体側から像側に順に、撮像光学系と、請求項８ないし請求項１３のうちいずれか１項に記載の撮像装置とを含む撮像システムであって、
前記撮像光学系の広角端での焦点距離をｆ１とし、前記撮像システムの広角端での焦点距離をｆ２として、
０．８＜Ｋ・ｆ１／ｆ２＜１．２
なる式を満足することを特徴とする撮像システム。
【手続補正２】
【補正対象書類名】明細書
【補正対象項目名】発明の名称
【補正方法】変更
【補正の内容】
【発明の名称】アタッチメント光学系、撮像装置、および撮像システム
【手続補正３】
【補正対象書類名】明細書
【補正対象項目名】０００１
【補正方法】変更
【補正の内容】
【０００１】
本発明は、アタッチメント光学系、撮像装置、および撮像システムに関する。
【手続補正４】
【補正対象書類名】明細書
【補正対象項目名】０００７
【補正方法】変更
【補正の内容】
【０００７】
本発明は、倍率色収差の補正に有利なアタッチメント光学系、撮像装置、および撮像システムを提供することを目的とする。
【手続補正５】
【補正対象書類名】明細書
【補正対象項目名】０００８
【補正方法】変更
【補正の内容】
【０００８】
上記目的を達成するためのアタッチメント光学系は、撮像光学系と撮像装置との間に着脱可能に装着され、前記撮像光学系に起因する倍率色収差を補正するための第１の情報を受信する受信部と、前記第１の情報に基づき、前記撮像光学系および前記アタッチメント光学系に起因する倍率色収差を補正するための第２の情報得る制御部と、前記第２の情報を前記撮像装置に送信する送信部と、を有し、前記第１の情報及び前記第２の情報は、それぞれ、像高の最大像高に対する比に基づいて、前記撮像光学系のズーム、フォーカス、およびＦナンバーに関する各条件における倍率色収差量を取得するための情報であり、前記制御部は、定数をＫとし、像高の最大像高に対する比をｒとし、前記第１の情報のうち、光軸を中心とする径方向への緑チャンネルに対する青チャンネルのずれ量をＡ１Ｂ（ｒ）とし、前記径方向への緑チャンネルに対する赤チャンネルのずれ量をＡ１Ｒ（ｒ）とし、前記第２の情報のうち、前記径方向への緑チャンネルに対する青チャンネルのずれ量をＢ１Ｂ（ｒ）とし、前記径方向への緑チャンネルに対する赤チャンネルのずれ量をＢ１Ｒ（ｒ）とし、ｒを変数とする青チャンネルに関する関数をＣ１Ｂ（ｒ）とし、ｒを変数とする赤チャンネルに関する関数をＣ１Ｒ（ｒ）として、Ｂ１Ｂ（ｒ）およびＢ１Ｒ（ｒ）は、
Ｂ１Ｂ（ｒ）＝Ｋ・Ａ１Ｂ（ｒ）＋Ｃ１Ｂ（ｒ）
Ｂ１Ｒ（ｒ）＝Ｋ・Ａ１Ｒ（ｒ）＋Ｃ１Ｒ（ｒ）
なる式に基づいて得ることを特徴とする。
【手続補正６】
【補正対象書類名】明細書
【補正対象項目名】０００９
【補正方法】変更
【補正の内容】
【０００９】
また、上記目的を達成するための別の態様のアタッチメント光学系は、撮像光学系と撮像装置との間に着脱可能に装着されるアタッチメント光学系であって、前記撮像光学系に起因する倍率色収差を補正するための第１の情報を受信する受信部と、前記第１の情報に基づき、前記撮像光学系および前記アタッチメント光学系に起因する倍率色収差を補正するための第２の情報を得る制御部と、前記第２の情報を前記撮像装置に送信する送信部とを有し、前記第１の情報は、前記撮像光学系の像面での像高に基づいて、前記撮像光学系のズーム、フォーカス、およびＦナンバーに関する各条件における倍率色収差量を取得するための情報であり、前記第２の情報は、前記撮像光学系と前記アタッチメント光学系とによる像面での像高に基づいて倍率色収差量を取得するための情報であり、前記制御部は、定数をＫとし、前記撮像光学系と前記アタッチメント光学系とによる像面での像高をｙ´とし、前記第１の情報のうち、光軸を中心とする径方向への緑チャンネルに対する青チャンネルのずれ量をＡ２Ｂ（ｙ´）とし、前記径方向への緑チャンネルに対する赤チャンネルのずれ量をＡ２Ｒ（ｙ´）とし、前記第２の情報のうち、前記径方向への緑チャンネルに対する青チャンネルのずれ量をＢ２Ｂ（ｙ´）とし、前記径方向への緑チャンネルに対する赤チャンネルのずれ量をＢ２Ｒ（ｙ´）とし、ｙ´を変数とする青チャンネルに関する関数をＣ２Ｂ（ｙ´）とし、ｙ´を変数とする赤チャンネルに関する関数をＣ２Ｒ（ｙ´）として、Ｂ２Ｂ（ｙ´）およびＢ２Ｒ（ｙ´）は、
Ｂ２Ｂ（ｙ´）＝Ｋ・Ａ２Ｂ（ｙ´／Ｋ）＋Ｃ２Ｂ（ｙ´）
Ｂ２Ｒ（ｙ´）＝Ｋ・Ａ２Ｒ（ｙ´／Ｋ）＋Ｃ２Ｒ（ｙ´）
なる式に基づいて得る、ことを特徴とする。
【手続補正７】
【補正対象書類名】明細書
【補正対象項目名】００１０
【補正方法】変更
【補正の内容】
【００１０】
あるいは、上記目的を達成するための撮像装置は、撮像光学系が着脱可能で、撮像素子と、前記撮像光学系と前記撮像素子との間に前記撮像光学系の焦点距離を変更する光学系と、を有し、前記撮像光学系に起因する倍率色収差を補正するための第１の情報を受信する受信部と、前記第１の情報に基づいて、前記撮像光学系および前記焦点距離を変更する光学系に起因する倍率色収差を補正するための第２の情報を得る制御部と、を有し、前記第１の情報及び前記第２の情報は、それぞれ、像高の最大像高に対する比に基づいて、前記撮像光学系のズーム、フォーカス、およびＦナンバーに関する各条件における倍率色収差量を取得するための情報であり、前記制御部は、定数をＫとし、像高の最大像高に対する比をｒとし、前記第１の情報のうち、光軸を中心とする径方向への緑チャンネルに対する青チャンネルのずれ量をＡ１Ｂ（ｒ）とし、前記径方向への緑チャンネルに対する赤チャンネルのずれ量をＡ１Ｒ（ｒ）とし、前記第２の情報のうち、前記径方向への緑チャンネルに対する青チャンネルのずれ量をＢ１Ｂ（ｒ）とし、前記径方向への緑チャンネルに対する赤チャンネルのずれ量をＢ１Ｒ（ｒ）とし、ｒを変数とする青チャンネルに関する関数をＣ１Ｂ（ｒ）とし、ｒを変数とする赤チャンネルに関する関数をＣ１Ｒ（ｒ）として、Ｂ１Ｂ（ｒ）およびＢ１Ｒ（ｒ）は、
Ｂ１Ｂ（ｒ）＝Ｋ・Ａ１Ｂ（ｒ）＋Ｃ１Ｂ（ｒ）
Ｂ１Ｒ（ｒ）＝Ｋ・Ａ１Ｒ（ｒ）＋Ｃ１Ｒ（ｒ）
なる式に基づいて得ることを特徴とする。
あるいは、上記目的を達成するための撮像装置は、撮像光学系が着脱可能で、撮像素子と、前記撮像光学系と前記撮像素子との間に前記撮像光学系の焦点距離を変更する光学系と、を有する撮像装置であって、前記撮像光学系に起因する倍率色収差を補正するための第１の情報を受信する受信部と、前記第１の情報に基づいて、前記撮像光学系および前記焦点距離を変更する光学系に起因する倍率色収差を補正するための第２の情報を得る制御部と、を有し、前記第１の情報は、前記撮像光学系の像高に基づいて、前記撮像光学系のズーム、フォーカス、Ｆナンバーに関する各条件における倍率色収差量を取得するための情報であり、前記第２の情報は、前記撮像光学系と前記焦点距離を変更する光学系とによる像面での像高に基づいて倍率色収差量を取得するための情報であり、前記制御部は、定数をＫとし、前記撮像光学系と、前記撮像光学系の焦点距離を変更する光学系とによる前記像面での像高をｙ´とし、前記第１の情報のうち、光軸を中心とする径方向への緑チャンネルに対する青チャンネルのずれ量をＡ２Ｂ（ｙ´）とし、前記径方向への緑チャンネルに対する赤チャンネルのずれ量をＡ２Ｒ（ｙ´）とし、前記第２の情報のうち、前記径方向への緑チャンネルに対する青チャンネルのずれ量をＢ２Ｂ（ｙ´）とし、前記径方向への緑チャンネルに対する赤チャンネルのずれ量をＢ２Ｒ（ｙ´）とし、ｙ´を変数とする青チャンネルに関する関数をＣＢ（ｙ´）とし、ｙ´を変数とする赤チャンネルに関する関数をＣＲ（ｙ´）として、Ｂ２Ｂ（ｙ´）及びＢ２Ｒ（ｙ´）は、
Ｂ２Ｂ（ｙ´）＝Ｋ・Ａ２Ｂ（ｙ´／Ｋ）＋Ｃ２Ｂ（ｙ´）
Ｂ２Ｒ（ｙ´）＝Ｋ・Ａ２Ｒ（ｙ´／Ｋ）＋Ｃ２Ｒ（ｙ´）
なる式に基づいて得ることを特徴とする。
【手続補正８】
【補正対象書類名】明細書
【補正対象項目名】００１１
【補正方法】変更
【補正の内容】
【００１１】
本発明によれば、倍率色収差の補正に有利なアタッチメント光学系、撮像装置、および撮像システムを提供することができる。